(57)【要約】【課題】ケーブルの挿抜をしやすくして、使用勝手を良くする。【解決手段】ファクシミリ装置９０は、被記録材に画像を記録する記録ユニットとと、画像が記録された記録材の画像を読み取る読取ユニットと、記録ユニット及び読取ユニットと外部装置との間で情報伝達をする外部インターフェイス部と、を備え、外部インターフェイス部は、外部装置に接続されたケーブルが着脱されるＵＳＢコネクタ２２を有し、ＵＳＢコネクタは装置本体９２の背面上部のへこんだ凹部４３に設けられている。【選択図】      図２
2004230737.tif 000002
【特許請求の範囲】
【請求項１】
被記録材に画像を記録する画像記録手段と、
画像が記録された記録材の画像を読み取る画像読取手段と、
前記画像記録手段及び画像読取手段と外部装置との間で情報伝達をするインターフェイス手段と、を備え、
前記インターフェイス手段は、前記外部装置に接続されたケーブルが着脱されるコネクタを有し、
前記コネクタは装置本体の背面上部のへこんだ逃げ部に設けられていることを特徴とする画像読取記録装置。
【発明の詳細な説明】
【０００１】
【発明の属する技術分野】
本発明は、ファクシミリ装置、複写機、プリンタ、及びこれらの複合機などの画像読取記録装置、特に、ＵＳＢケーブルの挿抜性を向上させた画像読取記録装置に関する。
【０００２】
【従来の技術】
従来の画像読取記録装置におけるインターフェイス部の構成を図１０、図１１に基づいて説明する。
【０００３】
画像読取記録装置の一例であるファクシミリ装置２０９の給紙ユニット２００は、画像が記録される被記録材を記録ユニットへと搬送する部分である。読取ユニット２０１は、ユーザが不図示のコンタクトガラスに載置した記録材である例えば原稿を読み取る部分である。記録ユニット２１０はボトムカバー２０３に取り付けられて、読取ユニット２０１の下部に配置されている。ファクシミリ装置２０９の前側にはファクシミリ装置２０９を操作する操作部２０２を設けてあり、背面にはリアカバー２０４を設けてある。
【０００４】
図１１に示すように、従来のファクシミリ装置２０９の背面にあるリアカバー２０４には、外部情報処理端末とのインターフェイス手段としてのＵＳＢコネクタ２０５と、セントロコネクタ２０６と、通信網とのインターフェイス手段としてのモジュラーコネクタ２０７と、ファクシミリ装置に電源を供給する電源インレット２０８等を配置してある。
【０００５】
これらの各種コネクタ類に接続される各種ケーブル類のうち、セントロケーブル、モジュラーケーブル、電源ケーブルは、ファクシミリ装置２０９を設置するとき、一旦、接続してしまうと、ほとんど外すことがない。しかし、ＵＳＢケーブルは、昨今の外部情報処理端末としてのパーソナルコンピュータの進歩により、いわゆるプラグ・プレイによりＵＳＢコネクタ２０５に対して抜き差しされることが多々あった。
【０００６】
これらの問題は、ファクシミリ装置以外に、複写機、プリンタ、及びこれらの複合機においても、同様に生じていた。
【０００７】
【発明が解決しようとする課題】
このため、従来のファクシミリ装置は、ＵＳＢケーブルをＵＳＢコネクタ２０５に対して装置背面の下方で挿抜し、かつ挿抜するときのガイドになる部分がないため、ＵＳＢケーブルの挿抜をしにくい問題があった。
【０００８】
本発明は、ケーブルの挿抜をし易くして、使用勝手を良くした画像読取記録装置を提供することを目的としている。
【０００９】
【課題を解決するための手段】
上記目的を達成するため、本発明の画像読取記録装置は、被記録材に画像を記録する画像記録手段と、画像が記録された記録材の画像を読み取る画像読取手段と、前記画像記録手段及び画像読取手段と外部装置との間で情報伝達をするインターフェイス手段と、を備え、前記インターフェイス手段は、前記外部装置に接続されたケーブルが着脱されるコネクタを有し、前記コネクタは装置本体の背面上部のへこんだ逃げ部に設けられている。
【００１０】
【発明の実施の形態】
次に、本発明の実施形態の画像読取記録装置の一例であるファクシミリ装置を図に基づいて説明する。
【００１１】
なお、画像読取記録装置には、ファクシミリ装置、複写機、プリンタ、及びこれらの複合機などがあり、ファクシミリ装置に限定されるものではない。
【００１２】
図１は、本発明の実施形態における画像読取記録装置の一例であるファクシミリ装置をユーザが使用する側から見たファクシミリ装置の外観斜視図である。図２は、図１に示すファクシミリ装置を背後から見たファクシミリ装置の外観斜視図である。図３は、図１に示すファクシミリ装置における、被記録材の搬送方向に沿った断面図である。図４は、ユニット毎に分解した図１のファクシミリ装置の斜視図である。図５は、図１に示すファクシミリ装置において、記録ユニットと給紙ユニットのみを示したいわゆるプリンタユニットの斜視図である。図６は、図１に示すファクシミリ装置において、システムコントロール基板を覆うカバーの役割と、それらの取り付け状態を説明するための図である。図７は、図１に示すファクシミリ装置において、システムコントロール基板を覆うカバーを取り外し、かつシステムコントロール基板を取り付けたままの状態を示した図である。図８は、図１に示すファクシミリ装置において、システムコントロール基板と、その基板を覆うカバーとを取り外した状態を示す図である。図９は、図１に示すファクシミリ装置の制御ブロック図である。
【００１３】
図３に示すように、ファクシミリ装置９０は、被記録材に画像を記録するインクジェット記録装置であり、画像記録手段である例えば記録ユニットＡと、原稿を光学的に読み取る読取手段である例えば読取ユニットＢと、積載された被記録材を分離して記録ユニットＡに供給する被記録材積載手段である例えば給紙ユニットＣ、装置電源部Ｄとを備えている。ファクシミリ装置９０は、その他、電話回線等からのデータを接続する通信接続部１２２（図９参照）と、ファクシミリ装置全体を制御する制御部、通信制御部１２３、及び操作部１１８等の電装部も備えている。記録ユニットＡは、ファクシミリ装置９０の装置本体９２の下部に配設してある。読取ユニットＢは、ファクシミリ装置９０の装置本体９２の上部に配設してある。
【００１４】
図３に示す、記録ユニットＡと給紙ユニットＣは、プリンタユニット９１としてボトムカバー３３に取り付けてある。
【００１５】
（被記録材（以下、「記録紙」と称する）の流れの説明）
本実施形態のファクシミリ装置で使用される記録紙は、例えば、定形のカット紙である。記録紙Ｓは、複数枚重ねられてオートシートフィーダ１に収納されている。オートシートフィーダ１に設けてあるスライダ２は、記録紙Ｓのサイズに合わせて記録紙の側面を案内するようになっている。
【００１６】
オートシートフィーダ１に収納積載された記録紙は、給紙ローラ３と分離ローラ４によって１枚ずつに分離されて記録ユニットＡの方に搬送される。そして、記録紙は、搬送ローラ５と対向配置されたころ６とに挟持され、かつ搬送ローラ５と対向配置されたころ６との回転によって、記録ユニットＡ内を搬送される。
【００１７】
記録ヘッド１０の下方で画像を印字された記録紙は、排紙ローラ７ａ，７ｂと、この排紙ローラ７ａ，７ｂに接触する拍車８ａ，８ｂとの挟持回転によって搬送される。拍車８ａ、８ｂは、記録紙の印字面に接触してもインクが転写されることのない材質によって、星状に形成されている。最後、記録紙は、装置本体９２の前部（図３において左側）に設けた記録紙排紙トレイ９上に、排紙ローラ７ａ、７ｂと拍車８ａ、８ｂとによって排出される。
【００１８】
（画像読取部であるフラットベッドスキャナ（読取ユニットＢ）の説明）
密着型イメージセンサ１１は、キャリッジ１２に支持されて、副走査方向に平行なガイド軸１３に案内されて図３の紙面の表裏方向に往復移動するようになっている。キャリッジ１２の移動は、不図示のモータから回転力を受けたタイミングベルト１５によって行われる。イメージセンサ１１は、不図示の光源とレンズと光電変換素子とを内蔵している。
【００１９】
イメージセンサ１１は、原稿載置台としてのコンタクトガラス１６の裏面に一定の距離（間隔）を保って往復移動する。読み取られた画像情報は、図６に示すフレキブルケーブル５４によって、本体画像処理部（システムコントロール基板２１）に電送される。
【００２０】
読取ユニットＢは、装置奥部（図３の右側）に回動中心軸１７を有している。読取ユニットＢは、この回動中心軸１７を中心にして矢印Ｅ方向にユーザによって回動するようになっている。読取ユニットＢを矢印Ｅ方向に回動すると、後述する記録ヘッド１０の交換、およびインクタンク３１の交換に必要な空間が確保できるようになっている。
【００２１】
（記録部Ａの構成の説明）
図３に示すように、記録ヘッド１０は、ノズル内に設けた電気熱変換素子の発熱によってインク中に生じた膜沸騰の圧力によってノズル先端の吐出口よりインクを吐出して、記録紙に画像を印字するインクジェット記録ヘッドである。記録ヘッド１０は、インクタンク３１を別体として、インクが無くなったとき、インクタンク３１のみ新品と交換できるようになっている。キャリッジ１８は、記録ヘッド１０を精度良く保持しながら記録紙の搬送方向（副走査方向）に対して直角方向、すなわち主走査方向に往復移動させるようになっている。キャリッジ１８は、ガイド棒１９と不図示の突き当て部によって摺動自在に保持されている。
キャリッジ１８の往復移動は、モータ３９（図５参照）によって循環する不図示のプーリ及びタイミングベルト２０によって行われる。このとき、記録ヘッド１０に与える印字信号及び電力は、不図示のフレキシブルケーブルによって本体の電気回路から供給される。記録ヘッド１０とフレキシブルケーブルとはお互いの接点を圧接して接続してある。
【００２２】
（電装部の説明）
図３に示すように、電装部は、システムコントロール基板２１、ネットワークコントロール基板２３、回線モジュラー基板２４、装置に電源を供給する電源ユニット２６、操作パネルのキーやＬＥＤを実装しているオペレーションコントロール基板２７、メモリカード基板２８、中継基板群２９，３０などで構成されている。
【００２３】
ネットワークコントロール基板２３及び回線モジュラー基板２４は、主に回線との通信を制御するようになっている。システムコントロール基板２１は、主にファクシミリ装置全体のシステムと読取系、記録系を制御する電気部品、電子部品を有している。メモリカード基板２８には、主にコンパクトフラッシュ（登録商標）、コンパクトフラッシュｔｙｐｅＩＩ、スマートメディア、メモリスティック、ＳＤカード、マルチメディアカード等の各種メモリカードのコネクタやＬＥＤを実装してある。中継基板群２９，３０には、各種センサ等と高熱を発する各種モータドライバやコンデンサ等を実装してある。中継基板群２９，３０は、システムコントロール基板２１へ中継するようになっている。
【００２４】
図４に示すように、システムコントロール基板２１は、記録ユニットＡの上方かつ読取ユニットＢの下方で、装置左右方向の片側（本実施形態においては装置正面から見て右側）に配置されて不図示の板金に固定され、ミドルフレーム３４に水平に取り付けられている。システムコントロール基板２１の上方は、カバー部材であるシステムコントロール基板カバー４１で覆われている。このようなシステムコントロール基板２１の配置関係によって、記録ユニットＡの上方で装置左右方向中央部は、記録部のインクカートリッジ（記録ヘッド１０）およびインクタンク３１を交換する交換空間を設けることができる。
【００２５】
システムコントロール基板２１上の前後方向の端部に近い領域には、後述するその他の電装基板からの接続ケーブルコネクタ等のように背が高くて空間を必要とする部品を実装してある。また、システムコントロール基板２１の中央部で、かつ、特に、前述した記録ヘッド１０およびインクタンク３１の交換スペースのサイド領域には、ファクシミリ装置全体のシステムやプリンタを制御するチップ、およびメモリ等のチップやＲＯＭ等のように背の低い部品を実装してある。
【００２６】
このように、各部品をシステムコントロール基板２１上に配置することによって、システムコントロール基板２１を覆うシステムコントロール基板カバー４１（図３参照）は、比較的背の低いチップ等が実装されている領域上を低く覆うことができて、上記交換空間をさらに広げることに寄与することができる。このようにして、交換空間を広げることによって、記録ヘッド１０、およびインクタンク３１の交換作業時における操作性を向上させることができる。
【００２７】
また、図６に示すように、システムコントロール基板２１上で、かつファクシミリ装置の比較的背面側付近には、読取ユニットＢからの画像データを電送するフレキシブルケーブル５４のコネクタ２２（図３参照）を実装してある。コネクタ２２をこのような位置に実装すると、コネクタ２２が読取ユニットＢの回動中心軸１７に近いことになり、フレキシブルケーブル５４を最短の長さで配線できるとともに、読取ユニットＢを開閉したとき、フレキシブルケーブル５４のたわみや引っ張り等を防止することができる。この結果、システムコントロール基板２１、フレキシブルケーブル５４、コネクタ２２との損傷を防止することができる。
【００２８】
（システムコントロール基板２１を覆うシステムコントロール基板カバー４１の役割についての説明）
図７に示すように、システムコントロール基板カバー４１は、システムコントロール基板２１を使用者に触れさせないように覆うとともに、記録ヘッド１０、およびインクタンク３１の交換作業時のアクセスガイドとしての役割がある。また、システムコントロール基板カバー４１は、サービスマンによるシステムコントロール基板２１のメンテナンス作業時に、図７、図８に示すように読取ユニットＢを開いてシステムコントロール基板カバー４１を開放状態にしてシステムコントロール基板カバー４１を取り外すだけの省工数でかつ、ファクシミリ装置をその場に設置したままの状態で移動させること無く、正面から容易にＲＯＭ５６を矢印Ｊ方向へ外すことができるようにする役割もしている。システムコントロール基板カバー４１は、図７に示すように、ねじ５７を上方を向いた矢印方向に外し、図８でシステムコントロール基板カバー４１を矢印Ｉ方向へ移動することによって簡単に外すことができるようになっている。
【００２９】
（システムコントロール基板カバー４１の取り付け方の説明）
図８に示すように、システムコントロール基板カバー４１の奥側には、フック部４１ｂを設けてあり、手前側にはねじ固定部４１ｃを設けてある。システムコントロール基板カバー４１は、フック部４１ｂをミドルフレーム３４の引っ掛け部３４ａに引っ掛けて、ねじ固定部４１ｃをねじボス部３４ｂにねじ５７で固定することによって、ミドルフレーム３４に固定されるようになっている。
【００３０】
このように、ファクシミリ装置９０は、読取ユニットＢを開状態にするだけで、ファクシミリ装置の手前側の領域が開放されて、ねじ５７によるミドルフレーム３４に対するシステムコントロール基板カバー４１の取り付けや取り外し作業時の工具を容易に使用することができるようになっている。
【００３１】
（各基板の取り付け構成の説明）
ネットワークコントロール基板２３は、システムコントロール基板２１の下方で、かつ記録ユニットＡの手前に配置されている。また、ネットワークコントロール基板２３は、基板手前側の端部が上方から見てシステムコントロール基板２１の手前側端部よりはみ出した位置に配置されて、不図示の板金に固定されてミドルフレーム３４に取り付けられている。
【００３２】
ここでのはみ出し量は、ネットワークコントロール基板２３側の不図示のケーブルコネクタ群の領域を真上から目視することができるだけの量を最低限有している。ケーブルコネクタ群は、ネットワークコントロール基板２３とシステムコントロール基板２１とを接続するために設けてある。これにより、システムコントロール基板２１の下方手前側の無駄な空間を無くすことができファクシミリ装置全体を小型にすることができるとともに、システムコントロール基板２１への接続ケーブル類を短くして、ケーブルの差し忘れ防止といった組立性を向上させることができる。
【００３３】
回線モジュラー基板２４と電源ユニット２６は、図３、図４に示すように、給紙ユニットＣの下部に集中的に配置してあり、不図示の板金に両基板を覆う不図示のカバー部材とともに固定されて、ボトムフレーム３３に取り付けてある。そして、回線モジュラー基板２４とネットワークコントロール基板２３は、不図示のケーブルによって電気的に接続されている。また、電源ユニット２６とシステムコントロール基板２１も不図示のケーブルによって電気的に接続されている。
【００３４】
このように、回線モジュラー基板２４と電源ユニット２６とを配置すると、回線モジュラー基板２４と電源ユニット２６とを電気的に接続する不図示のアレスターグランドケーブルを短くすることができる。
【００３５】
しかも、回線モジュラー基板２４と電源ユニット２６は、システムコントロール基板２１等と比べて比較的面積の小さい基板であるため、これらを給紙ユニットＣの下方に配置することでファクシミリ装置全体の設置面積を小さくして、特に奥行きを短くすることができる。
【００３６】
さらに、回線モジュラー基板２４と電源ユニット２６をファクシミリ装置９０の装置本体９２の背面側にまとめて設けてあるので、電源コードや回線モジュラーコード等の外部接続ケーブル類の接続をまとめて処理することができる効果も生じる。
【００３７】
オペレーションコントロール基板２７は、装置操作性の観点からファクシミリ装置９０の前面に斜めに配置して、操作カバー３６に取り付けてある。メモリカード基板２８は、オペレーションコントロール基板２７の中央で、かつ下方に配置されて、不図示の板金に固定され、操作下カバー３５に取り付けてある。オペレーションコントロール基板２７とメモリカード基板２８はいずれもシステムコントロール基板２１の近傍に配置してあるためシステムコントロール基板２１への接続ケーブル類を短くすることができる。
【００３８】
中継基板群２９は、図５に示すように記録ユニットＡ内の背面部に配置してある。中継基板３０は、給紙ユニットＣの片側側面部（本実施形態においては本体正面から見て左側面側）に配置してある。中継基板群２９，３０は、不図示のケーブルで電気的接続されている。
【００３９】
中継基板３０には、主に、読取ユニットＢからの不図示のモータケーブルのコネクタを実装してある。
【００４０】
中継基板群２９には、主に、記録ユニットＡや給紙ユニットＣ内の各種モータからの不図示のケーブルを接続するコネクタ類やモータドライバ、コンデンサ等の高熱を発生する不図示の部品を実装してある。また、中継基板群２９には、給紙ユニットＣ内で搬送された記録紙の先端および後端を検出するセンサ２５、その他の図示しないセンサケーブルのコネクタ類も実装してある。さらに、中継基板群２９には、中継基板群２９とシステムコントロール基板２１をケーブルとフレキシブルケーブルで接続するコネクタ類も実装してある。このなかで、特に、前述した高熱を発生する部品を、中継基板群２９内の限定した領域に集中的に実装してあるので、安全対策用の不図示の中継基板カバーの省スペース化を図ることができる。また、高熱を発生する部品を、カートリッジやインクタンク交換スペースに隣接したシステムコントロール基板２１に実装していないので、ユーザに対する安全性を向上させることができる。
【００４１】
また、本実施形態のファクシミリ装置９０は、記録ユニットＡの下部に各電装基板を配置していないため、記録ユニットＡのインクジェット方式記録部からインクが流出しても、そのインクが電装類に接触することがなく、電気ショートが発生しないようにしている。
【００４２】
（ファクシミリ装置の制御ブロック図の説明）
図９において、マイクロプロセッサユニット（ＭＰＵ）１０１は、システムバス１０２を介してファクシミリ装置全体を制御するようになっている。ＲＯＭ１０３は、ＭＰＵ１０１の動作のためのプログラムコード、初期値データ、テーブルデータ等を記憶している。
【００４３】
ＤＲＡＭ１０４は、画像バッファ及び画像メモリ等に使用されて、情報処理端末１３１と送受信するときのデータを一時的に保持するバッファとして使用されるようになっている。また、ＤＲＡＭ１０４は、通信部１２１を介して受信された画像データや読取ユニットＢから読み取られた画像データ、情報処理端末１３１から送られてきた画像データをファイルとして蓄積するためのメモリとしても使用されるようになっている。ＳＲＡＭ１０５は、ユーザ登録データエリア、ワークエリア等に使用されるようになっている。ＤＲＡＭ１０４とＳＲＡＭ１０５は、それぞれバッテリバックアップによって停電等の不慮の障害から保護されている。
【００４４】
読取ユニットＢ（図３に示す読取ユニットＢ）は、ＣＳ１０７、読取画像補正部１０８、読取画像処理部１０９、読取駆動部１１０、ＳＲＡＭ１１１等により構成されている。読取ユニットＢは、読取駆動部１１０を駆動してコンタクトセンサを駆動し、ＣＳ１０７によって光学的に読み取って電気的な画像信号に変換するようになっている。読取ユニットＢは、この信号を読取画像補正部１０８でシェーディング補正等を行い、さらに、読取画像処理部１０９で画像処理を行って、高精細な画像データを出力するようになっている。ＳＲＡＭ１１１は画像処理を行う際のバッファとして使用される。
【００４５】
記録ユニットＡ（図３に示す記録ユニットＡ）は、ＳＲＡＭ１１１、記録画像復号化部１１３、記録画像処理部１１４、プリンタ制御用マイコン１１５、プリンタエンジン１１６、記録インターフェイス部１１７等により構成されている。
【００４６】
記録画像復号化部１１３は、ランレングス形式の画像データを生画像データに変換するようになっている。記録画像処理部１１４は、生画像データを解像度変換、画像の変倍、スムージング、濃度補正等の画像処理を施して高精細な画像データに変換するようになっている。ＳＲＡＭ１１１は、これらデータを変換するときのバッファとして使用される。
【００４７】
プリンタ制御用マイコン１１５は、記録ユニットＡの各動作の制御を行う記録制御用ＭＰＵ、記録制御を行うための各種インストラクションを記述したＲＯＭ、ＲＯＭよりインストラクションを読み出す手段、読み出したインストラクションを処理する処理手段、処理手段が必要とする情報を記憶しておくための入力が可能なＲＡＭ、処理手段によって作り出された信号を出力する出力手段等からなり、これらによってプリンタエンジン１１６の記録制御を行うための信号の入出力を行うようになっている。
【００４８】
記録インターフェイス部１１７は、プリンタ制御用マイコン１１５とＭＰＵ１０１の間で連携をとるためのインターフェイスである。
【００４９】
操作部１１８は、テンキー等の各種キースイッチ等により構成され、ユーザがファクシミリ装置の動作指示、及び各種情報の入力を行う部分である。表示部１１９は、ＬＣＤ、ＬＥＤ等により構成され、装置の状態等を表示する部分である。パネルインターフェイス部１２０は、ＭＰＵ１０１と操作部１１８、及び表示部１１９の連携をとるためのインターフェイスである。
【００５０】
通信部１２１は、回線接続装置等の通信接続部１２２、変復調装置等の通信制御部１２３により構成され、回線制御を行う部分である。通信接続部１２２には、通信網１２４と電話機１２５とが接続してある。音響装置１２６は、スピーカ等により構成されて、各種状態を音響によりユーザに通知するようになっている。
【００５１】
インターフェイス手段である例えば外部インターフェイス部１２７は、ＭＰＵ１０１等と情報処理端末１３１との間でデータの送受信を行って、情報処理端末１３１から装置を制御するようになっている。
【００５２】
不揮発性記憶装置１２８は、画像情報等の保存に使用される大容量の不揮発性のメモリであり、電源が切れても情報が消えることがないようになっている。不揮発性記憶装置１２８は、フラッシュメモリ、ハードディスク、バッテリバックアップ付のＲＡＭなどにより構成される。画像データの符号化、復号化を行うための画像符号／復号部１２９は、画像復号化部１２９ａ、画像符号化部１２９ｂ、内部ＳＲＡＭ１２９ｃから構成されている。
【００５３】
電源供給部１３０はファクシミリ装置に電源を供給するようになっている。情報処理端末１３１は、外部に接続される外部装置である例えばコンピュータ等である。メモリカードインターフェイス部１３２は、フラッシュメモリ等を内蔵した取り外し可能なメモリカード１３３との通信を行うようになっている。
【００５４】
本実施形態のファクシミリ装置９０のコピー動作、ファクシミリ受信動作、プリンタ動作、及びメモリカード動作を説明する。
【００５５】
（コピー動作）
読取ユニットＢのＣＳ１０７で読み取られた原稿の画像情報は、読取画像補正部１０８によってシェーディング補正等の処理を行われて、さらに、読取画像処理部１０９によって２値化及び画像変換処理を行われ、画像符号／復号部１２９の画像符号化部１２９ｂに入力される。入力された画像データは、内部ＳＲＡＭ１２９ｃに展開され、画像符号化部１２９ｂによって圧縮符号化され、ＤＲＡＭ１０４に蓄積される。また、同時に、その画像データの管理情報をＳＲＡＭ１０５に格納する。ＤＲＡＭ１０４に蓄積された画像符号化データは画像符号／復号部１２９の画像復号化部１２９ａによって伸長復号化され、内部ＳＲＡＭ１２９ｃに画像データとして展開される。展開された画像データは記録画像処理部１１４によって補正及び画像変換処理を行った後、プリンタ制御用マイコン１１５の制御のもとでプリンタエンジン１１６によって記録紙に印字出力される。
【００５６】
（ファクシミリ受信動作）
外部からの受信データは、通信接続部１２２を通して通信制御部１２３に入力される。そして、ファクシミリ通信の手順信号の送受信を行い、その後、画像データの受信を開始する。画像データは、通信制御部１２３で復調され、通信制御部１２３からの入力割込み信号に応じてＭＰＵ１０１の制御のもとで、１バイトずつＤＲＡＭ１０４の受信バッファに転送される。受信バッファに転送された受信データは、画像符号／復号部１２９の画像復号化部１２９ａによって伸長復号化されて画像誤りを検査され、内部ＳＲＡＭ１２９ｃに画像データとして展開される。展開された画像データは、記録画像処理部１１４によって補正及び画像変換処理を行われた後に、プリンタ制御用マイコン１１５の制御のもとでプリンタエンジン１１６によって記録紙Ｓに印字出力される。
【００５７】
（プリンタ動作）
情報処理端末１３１から外部インターフェイス部１２７に対してコマンド及び受信パラメータを１バイトずつ送出する。外部インターフェイス部１２７で受けたコマンド及び受信パラメータは、外部インターフェイス部１２７からの入力割込み信号に応じてＭＰＵ１０１の制御のもとに、１バイトずつＤＲＡＭ１０４の受信バッファに転送される。コマンドには、各コマンドを識別するコマンドコード、及び、次に続く受信パラメータのサイズ等が格納されており、また、受信パラメータ内には、各コマンドに対する動作を実行するのに必要な設定値や画像データが格納されている。受信バッファに転送されたコマンド及び画像データを除く受信パラメータはＭＰＵ１０１によって処理される。
【００５８】
ここで受信パラメータの内容が画像データの場合、その画像データを構成する符号データ若しくは生データは予め受信した受信パラメータが示す画像データ形式情報にしたがって画像符号／復号部１２９の画像復号化部１２９ａによって伸長復号化されて、内部ＳＲＡＭ１２９ｃに画像データとして展開される。展開された画像データは、画像符号／復号部１２９の画像符号化部１２９ｂによって圧縮符号化されて、ＤＲＡＭ１０４に蓄積されるとともに、その画像データの管理情報がＤＲＡＭ１０４に格納される。展開された画像データは、プリンタ制御用マイコン１１５の制御のもとに、プリンタエンジン１１６によって記録紙Ｓに印字出力される。コマンド受信後は前記コマンドに対するレスポンス及び送出パラメータを生成し送出する。
【００５９】
レスポンスには、受信したコマンドが受け入れられたことを示すＯＫレスポンス、受信したコマンドが間違っていたため受け付けられなかったことを示すＮＧレスポンス、及び動作中等の理由により受信したコマンドが現在受け付けられないことを示すＢＵＳＹレスポンスがある。また、送出パラメータには、送信やプリントの結果、ファイルやページの属性、指示されたコマンドに対応した装置情報、中止要求や再送要求等が格納されている。レスポンスは、ＭＰＵ１０１によってＤＲＡＭ１０４の送信バッファにセットされて、外部インターフェイス部１２７からの入力割り込み信号に応じてＭＰＵ１０１の制御のもとに、１バイトずつ外部インターフェイス部１２７に転送された後、情報処理端末１３１に送出される。
【００６０】
（メモリカード動作）
メモリカードインターフェイス部１３２は、メモリカード１３３が接続されるまで待機して、メモリカード１３３が接続されると、設定モードに応じて次のように内部データを参照して動作する。
【００６１】
ダイレクト記録モード
ダイレクト記録モードにファクシミリ装置が設定されている場合、ファクシミリ装置は、メモリカード１３３内の画像データファイル（例えばＪＰＥＧフォーマットの画像データファイル）を所定のルールにしたがって検索する。次に、ファクシミリ装置は、検索して抽出した画像データファイルに所定の管理番号を設定する。その後、操作部１１８の操作入力に従い、所定のサイズとなるようにＭＰＵ１０１の制御のもとに展開して、プリンタ制御用マイコン１１５の制御のもとにプリンタエンジン１１６によって記録紙Ｓに印字出力される。出力される画像データは、抽出した画像データファイルの一覧または単体画像である。
【００６２】
メモリカードリーダライタモード
メモリカードリーダライタモードにファクシミリ装置が設定されている場合、ファクシミリ装置は、情報処理端末１３１からの要求に応じてメモリカード１３３内のデータファイルを情報処理端末１３１に対して転送したり、情報処理端末１３１から入力されたデータファイルをメモリカード１３３内に書き込んだりする動作をする。ＭＰＵ１０１は、情報処理端末１３１と所定の制御コマンドによって通信して、メモリカード１３３に対するデータファイル取り出し、及び書き込み制御をメモリカードインターフェイス部１３２に対して行う。
【００６３】
（ＵＳＢコネクタ２２の配置の説明）
図２、図３、図４に示すように、コネクタの一例であるＵＳＢコネクタ２２は、記録ユニットＡの上方で、かつ読取ユニットＢの下方に配設してある。ＵＳＢコネクタ２２は、前述したシステムコントロール基板２１上に装置背面側で、かつ給紙ユニットＣの左右方向外側で不図示のケーブルの一例であるＵＳＢケーブルと接続できるように実装してある。さらに、ＵＳＢコネクタ２２の装置外側には、装置外装であるリアカバー４０で構成された面があり、ＵＳＢコネクタ２２の周囲は、その面に形成した逃げ部である例えば凹部４３で取り囲まれている。
凹部４３は、上方が開放されている。すなわち、装置本体９２の背面の上部は、上方が開放された凹部４３によって段状に形成されている。
【００６４】
さらに、ＵＳＢコネクタ２２は、前述したようにシステムコントロール基板カバー４１によって、ＵＳＢコネクタ２２を含む基板である例えばシステムコントロール基板２１を覆うときに、図３に示すように、システムコントロール基板カバー４１に設けてある押さえ手段である例えば押さえ片４１ａによって、上方から押さえ付けられて、システムコントロール基板２１から浮き上がらないようになっている。これによって、ＵＳＢコネクタ２２は、ＵＳＢケーブルを差し込まれてＵＳＢケーブルと接続されるとき、不用意なこじりによって、剥がされるのが防止される。なお、押さえ片４１ａは、弾性を備えていてもよい。
【００６５】
このような構成によって、本実施形態のファクシミリ装置９０は、ＵＳＢケーブルを装置背面側のデッドスペースに配線することができる。
【００６６】
また、ＵＳＢコネクタ２２を、比較的、装置本体９２の上方に配置してあるため、装置本体９２の背面を壁に密着させて設置させても、ＵＳＢコネクタ２２へのＵＳＢケーブルの挿入、抜き取り（挿抜）を容易に行うことができるようになっている。しかも、装置本体を動かすことなく、ＵＳＢケーブの挿抜を行うことができる。
【００６７】
さらに、ＵＳＢコネクタ２２を装置本体９２の背面の凹部４３に設けてあることと、ＵＳＢコネクタ２２をステムコントロール基板カバー４１の押さえ片４１ａでシステムコントロール基板２１に押さえ付けてあることとによって、ＵＳＢケーブルをＵＳＢコネクタ２２に挿入するときや、ファクシミリ装置９０の使用中に不意の衝撃等受けても、その衝撃からＵＳＢコネクタを守ることができるようになっている。このため、ファクシミリ装置の動作が中断するようなことがない。また、電気的な短絡を防止することができる。
【００６８】
本発明の実施態様の例を以下に列挙する。
【００６９】
［実施態様１］  被記録材に画像を記録する画像記録手段と、画像が記録された記録材の画像を読み取る画像読取手段と、前記画像記録手段及び画像読取手段と外部装置との間で情報伝達をするインターフェイス手段と、を備え、前記インターフェイス手段は、前記外部装置に接続されたケーブルが着脱されるコネクタを有し、前記コネクタは装置本体の背面上部のへこんだ逃げ部に設けられていることを特徴とする画像読取記録装置。
【００７０】
実施態様１の画像読取記録装置によると、コネクタを装置本体の背面上部のへこんだ逃げ部に設けたので、装置本体の背面を壁に密着させたままでも、ケーブルをコネクタに挿入することができるので、ケーブルの挿抜を容易に行えるようになっている。また、画像読取記録装置を動かすことなく、ケーブルの挿抜を容易に行えるようになっている。
【００７１】
［実施態様２］  前記コネクタは、基板に設けられて、押圧手段によって、該基板に押し付けられていることを特徴とする実施態様１に記載の画像読取記録装置。
【００７２】
実施態様２の画像読取記録装置は、コネクタを基板に押し付けてあるので、画像読取記録装置の使用中に不意の衝撃を受けても、その衝撃からコネクタを守ることができて、画像読取記録装置が動作を中断するようなことがないとともに、電気的な短絡を防止することができる。
【００７３】
［実施態様３］  前記画像記録手段は装置本体の下部に配設され、前記画像読取手段は前記画像記録手段の上方に配設され、前記インターフェイス手段は前記画像記録手段の上方で、かつ前記画像読取手段の下方に配設されていることを特徴とする実施態様１に記載の画像読取記録装置。
【００７４】
［実施態様４］  前記逃げ部に、前記被記録材が積載される被記録材積載手段を備えたことを特徴とする実施態様１に記載の画像読取記録装置。
【００７５】
［実施態様５］  前記コネクタはＵＳＢコネクタであり、前記ケーブルはＵＳＢケーブルであることを特徴とする実施態様１に記載の画像読取記録装置。
【００７６】
【発明の効果】
本発明の画像読取記録装置は、コネクタを装置本体の背面上部のへこんだ逃げ部に設けたので、装置本体の背面を壁に密着させたままでも、ケーブルをコネクタに挿入することができるので、ケーブルの挿抜を容易に行えるようになっている。また、画像読取記録装置を動かすことなく、ケーブルの挿抜を容易に行えるようになっている。
【図面の簡単な説明】
【図１】本発明の実施形態における画像読取記録装置の一例であるファクシミリ装置をユーザが使用する側から見たファクシミリ装置の外観斜視図である。
【図２】図１に示すファクシミリ装置を背後から見たファクシミリ装置の外観斜視図である。
【図３】図１に示すファクシミリ装置における、被記録紙の搬送方向に沿った断面図である。
【図４】ユニット毎に分解した図１のファクシミリ装置の斜視図である。
【図５】図１に示すファクシミリ装置において、記録ユニットと給紙ユニットのみを示したいわゆるプリンタユニットの斜視図である。
【図６】図１に示すファクシミリ装置において、システムコントロール基板を覆うカバーの役割と、それらの取り付け状態を説明するための図である。
【図７】図１に示すファクシミリ装置において、システムコントロール基板を覆うカバーを取り外し、かつシステムコントロール基板を取り付けたままの状態を示した図である。
【図８】図１に示すファクシミリ装置において、システムコントロール基板と、その基板を覆うカバーとを取り外した状態を示す図である。
【図９】図１に示すファクシミリ装置の制御ブロック図である。
【図１０】従来例の画像読取記録装置の一例であるファクシミリ装置をユーザが使用する側から見たファクシミリ装置の外観斜視図である。
【図１１】図１０に示すファクシミリ装置を背後から見たファクシミリ装置の外観斜視図である。
【符号の説明】
Ａ      記録ユニット（画像記録手段）
Ｂ      読取ユニット（画像読取手段）
Ｃ      給紙ユニット（被記録材積載手段）
Ｄ      接続部と装置電源部
Ｓ      記録紙（被記録材）
１０      記録ヘッド
１１      密着型イメージセンサ
２１      システムコントロール基板（基板）
２２      ＵＳＢコネクタ（コネクタ）
４１ａ    システムコントロール基板カバーの押さえ片（押さえ手段）
４３      凹部（逃げ部）
９０      ファクシミリ装置（画像読取記録装置）
９１      プリンタユニット
９２      ファクシミリ装置の装置本体
１０１      マイクロプロセッサユニット（ＭＰＵ）
１２７      外部インターフェイス部（インターフェイス手段）
１３１      情報処理端末（外部装置）
【図１】
2004230737.tif 000003
【図２】
2004230737.tif 000004
【図３】
2004230737.tif 000005
【図４】
2004230737.tif 000006
【図５】
2004230737.tif 000007
【図６】
2004230737.tif 000008
【図７】
2004230737.tif 000009
【図８】
2004230737.tif 000010
【図９】
2004230737.tif 000011
【図１０】
2004230737.tif 000012
【図１１】
2004230737.tif 000013